(57)【要約】      （修正有）【課題】視覚的な刺激に加えて、音による聴覚的な刺激によっても魚を誘引可能なルアーを提供する。【解決手段】ルアーは、針６、ネクタイ１１、スカート１２が取着されたタイラバ用の接続部材２に、誘引音発生部材２０を着脱自在に装備する。誘引音発生部は、接続部材２の溝部８に着脱自在に装着可能な取着部２１と、取着部から片持ち状に延設されたアーム部２２と、アーム部の先端膨大部２３に着脱自在に設けられて、中空部２８の中で２つの金属球２９、３０が揺れで衝突することにより誘引音を発する誘引音発生部２４とを備える。【選択図】図１
0003225979.tif 000002
【実用新案登録請求の範囲】
【請求項１】
針、ネクタイ、スカートを装着可能なタイラバ用の接続部材から片持ち状に延設されたアーム部と、
アーム部の先端部に設けられて、中空部に収納された複数の金属球が揺れで衝突することにより誘引音を発する誘引音発生部と、
を備えたことを特徴とするルアー。
【請求項２】
アーム部は可撓性を有すること、
を特徴とする請求項１記載のルアー。
【請求項３】
針、ネクタイ、スカートを取着可能なタイラバ用の接続部材に着脱自在に取着可能な取着部と、
取着部から片持ち状に延設されたアーム部と、
アーム部の先端部に設けられて、中空部に収納された複数の金属球が揺れで衝突することにより誘引音を発する誘引音発生部と、
を備えたことを特徴とするルアー部品。
【請求項４】
アーム部は可撓性を有すること、
を特徴とする請求項３記載のルアー部品。
【請求項５】
針、ネクタイ、スカートを取着可能なタイラバ用の接続部材を含むルアー部品であって、
接続部材に、
中空部に収納された複数の金属球が揺れで衝突することにより誘引音を発する誘引音発生部を備えたこと、
を特徴とするルアー部品。
【請求項６】
請求項３乃至５の内のいずれか一つのルアー部品を備えたこと、
を特徴とするルアー。
【請求項７】
タイラバ用のヘッドであって、
中空部に収納された複数の金属球が揺れで衝突することにより誘引音を発する誘引音発生部を備えたこと、
を特徴とするヘッド。
【請求項８】
誘引音発生部は、ヘッドに対し着脱自在としたこと、
を特徴とする請求項７記載のヘッド。
【考案の詳細な説明】
【技術分野】
【０００１】
本考案はルアー、ルアー部品、ヘッドに係り、とくに鯛釣りに用いるタイラバと呼ばれるルアー、タイラバ用のルアー部品、タイラバ用のヘッドに関する。
【背景技術】
【０００２】
タイラバと呼ばれる鯛釣り用のルアーがある。このルアーは例えば、金属製またはプラスチック製で棒状の接続部材の上下２箇所の穴の一方に編み紐を介して２つの針を取着し、他方の穴にハリスを介して道糸を取着し、２箇所の穴の間のリング状の溝部に、プラスチック製の止め環によりラバー製のネクタイ、スカート等の揺動体を着脱自在に挟着し、道糸と接続部材の間のハリスにヘッド、玉と呼ばれる鉛製で略球形や略フットボール形等の塊状の錘部をハリスに沿って摺動自在に設けたり（遊動式、中通し式）、錘部の一端に固着した第１のフックを接続部材の穴に直接またはカラビナを介して連結し、錘部の他端に設けた第２のフックをカラビナを介してハリスに連結したりしたものである（固定式）。
【０００３】
このように構成されたタイラバは、ネクタイ、スカート等の揺動体やヘッドに疑似餌の役割をさせるものであるが、視覚的な刺激のみでの誘引であり、誘引効果の更なる増大が求められていた。
【考案の概要】
【考案が解決しようとする課題】
【０００４】
本考案は上記した従来技術の問題に鑑みなされたものであり、誘引力を増大でるルアー、ルアー部品、ヘッドを提供することを、その目的とする。
【課題を解決するための手段】
【０００５】
請求項１記載の考案では、
針、ネクタイ、スカートを装着可能なタイラバ用の接続部材から片持ち状に延設されたアーム部と、
アーム部の先端部に設けられて、中空部に収納された複数の金属球が揺れで衝突することにより誘引音を発する誘引音発生部と、
を備えたことを特徴としている。
請求項２記載の考案では、
アーム部は可撓性を有すること、
を特徴としている。
請求項３記載の考案では、
針、ネクタイ、スカートを取着可能なタイラバ用の接続部材に着脱自在に取着可能な取着部と、
取着部から片持ち状に延設されたアーム部と、
アーム部の先端部に設けられて、中空部に収納された複数の金属球が揺れで衝突することにより誘引音を発する誘引音発生部と、
を備えたことを特徴としている。
請求項４記載の考案では、
アーム部は可撓性を有すること、
を特徴としている。
請求項５記載の考案では、
針、ネクタイ、スカートを取着可能なタイラバ用の接続部材を含むルアー部品であって、
接続部材に、
中空部に収納された複数の金属球が揺れで衝突することにより誘引音を発する誘引音発生部を備えたこと、
を特徴としている。
請求項６記載の考案では、
請求項３乃至５の内のいずれか一つのルアー部品を備えたことを特徴としている。
請求項７記載の考案では、
タイラバ用のヘッドであって、中空部に収納された複数の金属球が揺れで衝突することにより誘引音を発する誘引音発生部を備えたこと、
を特徴としている。
請求項８記載の考案では、
誘引音発生部は、ヘッドに対し着脱自在としたこと、
を特徴としている。
【考案の効果】
【０００６】
本考案によれば、タイラバのネクタイ、スカート等による視覚的な刺激に加えて、音による聴覚的な刺激によっても魚を誘引可能となるので、高い釣り果を挙げることができる。
【図面の簡単な説明】
【０００７】
【図１】図１は、本考案の第１実施例に係るタイラバの正面図である。
【図２】図１中の接続部材を示す正面図である。
【図３】図１中の誘引音発生部材を示す正面図である。
【図４】図３中の誘引音発生部を示す断面図である。
【図５】図５は、本考案の第２実施例に係るタイラバの正面図である。
【図６】図５中の接続部材を拡大して示す正面図である。
【図７】図６の接続部材の変形例を示す正面図である。
【図８】図８は、本考案の第３実施例に係る一部省略したタイラバの正面図である。
【図９】図９は、図８中のヘッドの組み立て図である。
【考案を実施するための最良の形態】
【０００８】
以下、本考案の最良の形態を実施例に基づき説明する。
【実施例１】
【０００９】
図１乃至図４を参照して本考案に係るタイラバの第１実施例を説明する。図１は本考案に係るタイラバの正面図、図２は図１中の接続部材の正面図、図３は図１中の誘引音発生部材の正面図、図４は図３中の誘引音発生部を示す断面図である。
これらの図において、１はタイラバと呼ばれるルアーであり、金属製またはプラスチック製で棒状の接続部材（接続パーツ）２の上下２箇所の穴３、４の内、下側の穴４に編み紐５を介して２つの針（フック）６を取着し、上側の穴３にリーダ７（図１ではハリスをリーダとした例を示す）を介して道糸（図示せず）を取着し、２つの穴３、４の間に形成された上下２つのリング状の溝部８、９の内、下側の溝部９に、プラスチック製の止め環１０によりラバー製のネクタイ１１、スカート１２等の揺動体を着脱自在に挟着し、道糸と接続部材２の間のリーダ７を鉛製またはタングステン製で略球形の塊状のヘッド１３に埋設したプラスチックパイプ１４内に挿通し、リーダ７に沿ってヘッド１３が上下に摺動自在としてある。
【００１０】
ネクタイ１１、スカート１２等の揺動体の揺れ、ヘッド１３のリーダ７に沿った遊動により視覚的な刺激が魚に対する誘引効果を発揮することができるが、この実施例では更に、音による誘引効果も発揮可能に構成されている。
すなわち、接続部材２の上側の溝部８に、左右に延びた誘引音発生部材２０が着脱自在に取着されている。誘引音発生部材２０は、中央の短尺パイプ状の取着部２１、取着部２１から左右に片持ち状に延設された２本の可撓性を有するアーム部２２、各アーム部２２の先端膨大部２３に着脱自在に嵌着された誘引音発生部２４から成り、取着部２１と２本のアーム部２２はプラスチック製の弾性部材により一体的に形成されている。誘引音発生部２４は、プラスチック製またはガラス製または金属製で有底の筒体２５を有し、下端側に形成された開口２６に金属球２７が嵌着されて閉塞されるとともに、内部の中空部２８の中に２つの金属球２９、３０が中空部２８の軸に沿って揺動自在に収納されており、揺れで金属球２９、３０の相互が衝突したり、金属球２７と３０が衝突したりして、誘引音（ラトル音）を発生するようになっている。
【００１１】
筒体２５の上端には小径で円柱状の首部３１を介して円盤状の突設部３２が一体的に設けられている。一方、アーム部２２の先端膨大部２３には突設部３２の外径より小さい内径の筒状の穴部３３が設けられており、穴部３３の下端が首部３１の外径と略同径か小径の円形の開口３４により外部と連通している。開口３４と穴部３３を半径方向外側に拡張しながら筒体２５の突設部３２を開口３４を通して穴部３３の中に嵌入させ、開口３４を弾性縮径により首部３１に嵌めるとともに穴部３３の弾性縮径により突設部３２の外周に穴部３３の内壁を圧接させることにより、誘引音発生部２４の上端部がアーム部２２の先端膨大部２３に着脱自在に嵌着されている。筒体２５、首部３１、突設部３２、金属球２７によりケース部が構成されている。
【００１２】
上記のように構成されたルアー１によれば、ネクタイ１１、スカート１２等の揺動体の揺れ、ヘッド１３のリーダ７に沿った遊動による視覚的な刺激が魚に対する誘引効果を発揮するのに加えて、誘引音発生部２４の揺れに伴い金属球２９、３０が中空部２８内で揺れたり、跳ねたりして相互に衝突したり、金属球３０と２７が衝突したり、金属球２９、３０と中空部２８の内壁が衝突したりすることにより生じる誘引音（ラトル音）により、聴覚的な刺激でも誘引可能となり、相乗効果により高い釣り果を上げることが可能となる。
とくに、誘引音発生部２４が接続部材２に対し片持ち状に支持されて、揺れ易くなっていることから、大きな誘引音を発生させることができる。
また、金属球２９、３０の衝突で生じた誘引音は金属球２７を通して水中に伝達されるので、これによっても、大きな誘引音を発生させることができる。
また、誘引音発生部材２０は取着部２１の弾性を利用して拡径、縮径することにより接続部材２の溝部８に簡単に着脱することができる。
【００１３】
なお、上記した第１実施例では、一つのアーム部の先端部に一つの誘引音発生部を着脱自在に装着するようにしたが、２つ以上の誘引音発生部を並列的に着脱自在に装着したり、２つ以上を誘引音発生部を縦に繋げて着脱自在に装着するようにしても良い。
【実施例２】
【００１４】
次に、図５と図６を参照して本考案に係るタイラバの第２実施例を説明する。図５は本考案に係るタイラバの正面図、図６は図５中の接続部材の正面図である。
上記した第１実施例では接続部材から左右に延びたアーム部の先端に誘引音発生部を備える場合を示したが、第２実施例では接続部材自体に誘引音発生部を備えた例を示すものである。
すなわち図５、図６において、１Ａはタイラバと呼ばれるルアーであり、プラスチック製で棒状の接続部材２Ａの上下２箇所の穴３、４の内、下側の穴４に編み紐５を介して２つの針（フック）６を取着し、上側の穴３にリーダ７（図５ではハリスをリーダとした例を示す）を介して道糸（図示せず）を取着し、下側の穴４のすぐ上に形成されたリング状の溝部９に、プラスチック製の止め環１０によりラバー製のネクタイ１１、スカート１２等の揺動体を着脱自在に挟着し、道糸と接続部材２の間のリーダ７を鉛製で略球形の塊状のヘッド１３に埋設したプラスチックパイプ１４内に挿通し、リーダ７に沿ってヘッド１３が上下に摺動自在としてある。
【００１５】
この実施例では、接続部材２Ａの穴３と溝部９の間が上下に長くパイプ状に延設された延設部４０となっており、内部に中空部４１が形成されている。中空部４１の中に２つの金属球４２、４３が中空部４１の軸に沿って上下に揺動自在に収納されており、揺れで金属球４２、４３の相互が衝突したり、金属球４２、４３と中空部４１の内壁が衝突したりして、誘引音（ラトル音）を発生するようになっている。延設部４０、中空部４１、金属球４２、４３により誘引音発生部４４が構成されている。
【００１６】
上記のように構成されたルアー１Ａによれば、ネクタイ１１、スカート１２等の揺動体の揺れ、ヘッド１３のリーダ７に沿った遊動により視覚的な刺激が魚に対する誘引効果を発揮するのに加えて、接続部材２Ａの揺れに伴い金属球４２、４３が中空部４１内で跳ねて相互に衝突したり、金属球４２、４３と中空部４１の内壁とが衝突したりすることにより生じる誘引音（ラトル音）により、聴覚的な刺激でも誘引可能となり、相乗効果により高い釣り果を上げることが可能となる。
【００１７】
なお、上記した第２実施例では、接続部材をプラスチック製としたが、金属製としても良く、金属球と中空部の金属内壁との衝突によっても大きな誘引音が発生するようにしても良い。
また、接続部材の上側の穴と下側の溝部の間に誘引音発生部を設けたが、図７の接続部材２Ａ’に示す如く、誘引音発生部４４を一番下に形成し、接続部材２Ａ’の上端部側から下方へ穴３、溝部９、穴４、誘引音発生部４４の順に備えるようにしても良い。
【実施例３】
【００１８】
次に、図８、図９を参照して本考案に係るタイラバの第３実施例を説明する。図８は本考案に係るタイラバの正面図、図９は図８中のヘッドの組み立て図である。
上記した第１、第２実施例ではタイラバの内、接続部材の側に誘引音発生部を備える場合を示したが、第３実施例では、ヘッドの側に誘引音発生部を備えた場合を示す。
すなわち図８において、１Ｂはタイラバと呼ばれるルアーであり、金属製またはプラスチック製で棒状の接続部材２Ｂの上下２箇所の穴３、４の内、下側の穴４に編み紐５を介して２つの針（フック）６を取着し、上側の穴３にリーダ７（図８ではハリスをリーダとしている）を介して道糸（図示せず）を取着している。２つの穴３、４の間のリング状の溝部９に、プラスチック製の止め環１０によりラバー製のネクタイ１１、スカート１２等の揺動体を着脱自在に挟着し、道糸（図示せず）と接続部材２Ｂの間のリード７を鉛製で略球形の塊状のヘッド１３Ｂに埋設したプラスチックパイプ１４内に挿通し、リーダ７に沿ってヘッド１３Ｂが摺動自在としてある。
【００１９】
ヘッド１３Ｂには図８の上下方向に長い棒状の誘引音発生部５０が着脱自在に装着されている。すなわちヘッド１３Ｂの内、平らな外面１３ａに箱型の長溝部５１が上下方向に刻設されている。長溝部５１の内壁の図８、図９における上下２箇所に、コ字状に設けられて長溝部５１の中央に向けて突設した突起部５２、５３が形成されている。長溝部５１の中には誘引音発生部５０が着脱自在に装着されている。
誘引音発生部５０はプラスチック製で両側が有底かつ中空の筒体５４を有し、筒体５４の中空部５５の中に２つの金属球５６、５７が中空部５５の軸に沿って揺動自在に収納されており、揺れで金属球５６、５７の相互が衝突したり、金属球５６、５７が中空部５５の内壁と衝突したりして、誘引音（ラトル音）を発生するようになっている。
【００２０】
図９に示す如く、筒体５４の外径Ｗは、ヘッド１３Ｂに形成された長溝部５１の横幅Ｐより短く、突起部５２、５３の横幅方向の隙間Ｑより長く形成されており、筒体５４を長溝部５１に押し込み、突起部５２、５３に接した外側面を弾性変形させて突起部５２、５３と圧接させることにより、着脱自在に装着されている。
【００２１】
上記のように構成されたルアー１Ｂによれば、ネクタイ１１、スカート１２等の揺動体の揺れ、ヘッド１３Ｂのリーダ７に沿った遊動により視覚的な刺激が魚に対する誘引効果を発揮するのに加えて、ヘッド１３Ｂの揺れに伴い金属球５６、５７が中空部５５内で跳ねて相互に衝突したり、金属球５６、５７と中空部５５の内壁とが衝突したりすることにより生じる誘引音（ラトル音）により、聴覚的な刺激でも誘引可能となり、相乗効果により高い釣り果を上げることが可能となる。
【００２２】
なお、上記した第３実施例では、誘引音発生部の筒体をプラスチック製としたが、ガラス製や金属製としても良く、この場合、ゴム材等の弾性部材により形成した突起部を長溝部の内側に装着したり、或いは、筒体の外側にゴム材等の弾性部材により形成したリング状の突起部を装着して、誘引音発生部を長溝部に着脱自在に装着可能とすれば良い。
また、上記した第３実施例では、遊動式のヘッドに誘引音発生部を備える場合を例に挙げて説明したが、固定式のヘッドに備えるようにしても良い。
また、上記した各実施例では、誘引音発生部の中空部に揺動自在な２つの金属球を収納させる場合を示したが、３つ以上の金属球を収納しても良い。
また、上記した各実施例では、リーダとしてハリスを用いた場合を示したが、編み紐を用いても良い。
【産業上の利用可能性】
【００２３】
本考案は、接続部材、ネクタイ、スカート、ヘッドなどの部品を組み合わせて用いるタイラバと呼ばれるルアーに適用できる。
【符号の説明】
【００２４】
１  ルアー
２  接続部材
６  針
１１  ネクタイ
１２  スカート
１３  ヘッド
２０  誘引音発生部材
２１  取着部
２２  アーム部
２４  誘引音発生部
２９、３０  金属球
【図１】
0003225979.tif 000003
【図２】
0003225979.tif 000004
【図３】
0003225979.tif 000005
【図４】
0003225979.tif 000006
【図５】
0003225979.tif 000007
【図６】
0003225979.tif 000008
【図７】
0003225979.tif 000009
【図８】
0003225979.tif 000010
【図９】
0003225979.tif 000011
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
針、ネクタイ、スカートを装着可能なタイラバ用の接続部材から片持ち状に延設されたアーム部と、
アーム部の先端部に設けられて、有底の筒体の中空部に収納された複数の金属球が揺れで衝突することにより誘引音を発する誘引音発生部と、
を備えたことを特徴とするルアー。
【請求項２】
アーム部は可撓性を有すること、
を特徴とする請求項１記載のルアー。
【請求項３】
針、ネクタイ、スカートを取着可能なタイラバ用の接続部材に着脱自在に取着可能な取着部と、
取着部から片持ち状に延設されたアーム部と、
アーム部の先端部に設けられて、有底の筒体の中空部に収納された複数の金属球が揺れで衝突することにより誘引音を発する誘引音発生部と、
を備えたことを特徴とするルアー部品。
【請求項４】
アーム部は可撓性を有すること、
を特徴とする請求項３記載のルアー部品。
【請求項５】
針、ネクタイ、スカートを取着可能なタイラバ用の接続部材であって、
接続部材に、
有底の筒体の中空部に収納された複数の金属球が揺れで衝突することにより誘引音を発する誘引音発生部を備えたこと、
を特徴とするルアー部品。
【請求項６】
請求項３乃至５の内のいずれか一つのルアー部品を備えたこと、
を特徴とするルアー。
【請求項７】
タイラバ用のヘッドであって、
有底の筒体の中空部に収納された複数の金属球が揺れで衝突することにより誘引音を発する誘引音発生部を備えたこと、
を特徴とするヘッド。
【請求項８】
誘引音発生部は、ヘッドに対し着脱自在としたこと、
を特徴とする請求項７記載のヘッド。
【手続補正２】
【補正対象書類名】明細書
【補正対象項目名】０００５
【補正方法】変更
【補正の内容】
【０００５】
請求項１記載の考案では、
針、ネクタイ、スカートを装着可能なタイラバ用の接続部材から片持ち状に延設されたアーム部と、
アーム部の先端部に設けられて、有底の筒体の中空部に収納された複数の金属球が揺れで衝突することにより誘引音を発する誘引音発生部と、
を備えたことを特徴としている。
請求項２記載の考案では、
アーム部は可撓性を有すること、
を特徴としている。
請求項３記載の考案では、
針、ネクタイ、スカートを取着可能なタイラバ用の接続部材に着脱自在に取着可能な取着部と、
取着部から片持ち状に延設されたアーム部と、
アーム部の先端部に設けられて、有底の筒体の中空部に収納された複数の金属球が揺れで衝突することにより誘引音を発する誘引音発生部と、
を備えたことを特徴としている。
請求項４記載の考案では、
アーム部は可撓性を有すること、
を特徴としている。
請求項５記載の考案では、
針、ネクタイ、スカートを取着可能なタイラバ用の接続部材を含むルアー部品であって、
接続部材に、
有底の筒体の中空部に収納された複数の金属球が揺れで衝突することにより誘引音を発する誘引音発生部を備えたこと、
を特徴としている。
請求項６記載の考案では、
請求項３乃至５の内のいずれか一つのルアー部品を備えたことを特徴としている。
請求項７記載の考案では、
タイラバ用のヘッドであって、有底の筒体の中空部に収納された複数の金属球が揺れで衝突することにより誘引音を発する誘引音発生部を備えたこと、
を特徴としている。
請求項８記載の考案では、
誘引音発生部は、ヘッドに対し着脱自在としたこと、
を特徴としている。